【手続補正書】
【提出日】平成18年4月17日(2006.4.17)
【手続補正１】
【補正対象書類名】明細書
【補正対象項目名】特許請求の範囲
【補正方法】変更
【補正の内容】
【特許請求の範囲】
【請求項１】
リードイン領域、データ領域、リードアウト領域を有する書き換え可能な光ディスクへ一連のデータを分割して記録するデータ記録方法であって、
前記データ領域を構成するブロックのうち、記録領域として確保した不連続な領域の中で、最小のブロックアドレスを有するブロックから順番に前記一連のデータ記録し、
前記データ領域には、前記一連のデータに対する分割データ同士の関係を示す情報と、各分割データに対する光ディスク上のアドレスに対応する情報を含むテーブルを記録することを特徴とするデータ記録方法。
【請求項２】
リードイン領域、データ領域、リードアウト領域を有する書き換え可能な光ディスクへ一連のデータを分割して記録するデータ記録方法であって、
前記データ領域を構成するブロックのうち、記録領域として確保した不連続な領域の中で、最小のブロックアドレスを有するブロックから順番に前記一連のデータ記録し、
各不連続領域に記録した前記一連のデータに対応する分割データを識別する第１の情報と、
各分割データのうち、最小ブロックアドレスを有する分割データから先頭ブロックアドレスの小さい順にその順位を示す第２の情報を含むテーブルを記録することを特徴とするデータ記録方法。
【請求項３】
リードイン領域、データ領域、リードアウト領域を有する書き換え可能な光ディスクへ一連のデータを分割して記録するデータ記録方法であって、
前記データ領域を構成するブロックのうち、記録領域として確保した不連続な領域の中で、最小のブロックアドレスを有するブロックから順番に前記一連のデータ記録し、
各不連続領域に記録した前記一連のデータに対応する分割データを識別する第１の情報と、
各分割データの光ディスク上のアドレスに対応する第２の情報を含むテーブルを記録することを特徴とするデータ記録方法。
【請求項４】
請求項１に記載のデータ記録方法において、
一連のデータを確保した不連続な領域に記録した結果発生した第１の分割データに対し、
該第１の分割データをＭ個（Ｍは正の整数でＭ≧２）に分割することで発生する第２の分割データに対し、第２の分割データ同士の関係を示す情報と、各第２の分割データに対する光ディスク上のアドレスに対応する情報を含むテーブルを記録することを特徴とするデータ記録方法。
【請求項５】
請求項２に記載のデータ記録方法において、
一連のデータを確保した不連続な領域に記録した結果発生した第１分割データに対し、
該第１の分割データをＭ個（Ｍは正の整数でＭ≧２）に分割することで発生する第２の分割データに対し、該第１の分割データに対応する第２の分割データを識別する第１の情報と、
第２の分割データのうち、最小ブロックアドレスを有する第２の分割データから先頭ブロックアドレスの小さい順にその順位を示す第２の情報を含むテーブルを記録することを特徴とするデータ記録方法。
【請求項６】
請求項３に記載のデータ記録方法において、
一連のデータを確保した不連続な領域に記録した結果発生した第１の分割データに対し、
該第１の分割データをＭ個（Ｍは正の整数でＭ≧２）に分割することで発生する第２の分割データに対し、該第１の分割データに対応する第２の分割データを識別する第１の情報と、
各第２の分割データの光ディスク上のアドレスに対応する第２の情報を含むテーブルを記録することを特徴とするデータ記録方法。
【請求項７】
リードイン領域、データ領域、リードアウト領域を有する書き換え可能な光ディスクへ一連のデータを分割して記録する光ディスク装置であって、
前記データ領域を構成するブロックに対し、前記一連のデータに対する記録領域として確保可能な領域を判定する判定手段と、
前記一連のデータを分割してデータ領域に記録する記録手段と、を有しており、
前記判定手段は、前記データ領域を構成するブロックのうち、前記一連のデータの記録領域として確保可能な不連続な領域を判定し、
前記記録手段は、前記一連のデータの記録領域として確保した不連続な領域の中で、最小のブロックアドレスを有するブロックから順番に前記一連のデータを分割して記録し、
前記データ領域には、前記一連のデータに対する分割データ同士の関係を示す情報と、各分割データに対する光ディスク上のアドレスに対応する情報を含むテーブルを記録することを特徴とする光ディスク装置。
【請求項８】
請求項１に記載のデータ記録方法で記録された一連のデータの再生方法であって、
データ領域に記録された前記テーブルの再生を行い、
前記分割データ同士の関係を示す情報より、前記一連のデータを構成する複数の分割データを特定し、
特定した分割データに対する光ディスク上のアドレスに対応する情報より再生順を決定し、
再生順に従い分割データに対する再生を行うことを特徴とするデータ再生方法。
【請求項９】
請求項１記載のデータ記録方法で記録された一連のデータを再生する光ディスク装置であって、
データ領域に記録された前記テーブルの再生からファイルの再生順を決定する判定手段と、
光ディスクに記録された情報の再生手段と、を有しており、
前記判定手段は、前記分割データ同士の関係を示す情報より、前記一連のデータを構成する複数の分割データを特定し、
特定した分割データに対する光ディスク上のアドレスに対応する情報より再生順を決定し、
前記再生手段は再生順に従い分割データに対する再生を行うことを特徴とするデータ再生方法。
【手続補正２】
【補正対象書類名】明細書
【補正対象項目名】００１３
【補正方法】変更
【補正の内容】
【００１３】
【課題を解決するための手段】
前記課題は、特許請求の範囲に記載の発明により解決することができる。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】削除
【補正の内容】
【手続補正３１】
【補正対象書類名】明細書
【補正対象項目名】００４２
【補正方法】削除
【補正の内容】
【手続補正３２】
【補正対象書類名】明細書
【補正対象項目名】００４３
【補正方法】削除
【補正の内容】
【手続補正３３】
【補正対象書類名】明細書
【補正対象項目名】００４４
【補正方法】削除
【補正の内容】
【手続補正３４】
【補正対象書類名】明細書
【補正対象項目名】００４５
【補正方法】削除
【補正の内容】
【手続補正３５】
【補正対象書類名】明細書
【補正対象項目名】００４６
【補正方法】削除
【補正の内容】
【手続補正３６】
【補正対象書類名】明細書
【補正対象項目名】００４７
【補正方法】削除
【補正の内容】
【手続補正３７】
【補正対象書類名】明細書
【補正対象項目名】００４８
【補正方法】削除
【補正の内容】
【手続補正３８】
【補正対象書類名】明細書
【補正対象項目名】００４９
【補正方法】削除
【補正の内容】